【手続補正書】
【提出日】平成28年3月7日(2016.3.7)
【手続補正１】
【補正対象書類名】特許請求の範囲
【補正対象項目名】全文
【補正方法】変更
【補正の内容】
【特許請求の範囲】
【請求項１】
ミラーと、
前記ミラーをミラーアップ位置とミラーダウン位置との間で駆動するミラー駆動部材と、
前記ミラー駆動部材を付勢する第１の付勢部材と、
露光用開口を開閉する羽根部材と、
前記羽根部材を駆動する羽根駆動部材と、
前記羽根駆動部材を付勢する第２の付勢部材と、
前記第１の付勢部材の付勢力に抗して前記ミラー駆動部材を駆動して前記第１の付勢部材をチャージし、前記第２の付勢部材の付勢力に抗して前記羽根駆動部材を駆動して前記第２の付勢部材をチャージするチャージ部材と、を有し、
前記チャージ部材には、前記ミラー駆動部材と当接するミラーチャージカム部と、前記羽根駆動部材と当接するシャッタチャージカム部が形成されていて、
前記ミラー駆動部材が前記ミラーチャージカム部に当接するときには、前記チャージ部材を第１の方向に回転させることで前記チャージ部材は前記第１の付勢部材および前記第２の付勢部材をチャージし、
前記ミラー駆動部材が前記ミラーチャージカム部に当接しないときには、前記チャージ部材を前記第１の方向に回転させることで前記チャージ部材は前記第１の付勢部材をチャージすることなく、前記第２の付勢部材をチャージすることを特徴とする撮像装置。
【請求項２】
前記ミラー駆動部材が前記ミラーチャージカム部に当接しないときには、前記第１の付勢部材の付勢力によって前記ミラー駆動部材は前記ミラーをミラーアップ位置に維持されることを特徴とする請求項１に記載の撮像装置。
【請求項３】
前記ミラー駆動部材が前記ミラーをミラーアップ位置に駆動するとき、前記チャージ部材を第２の方向に回転させることで、前記ミラー駆動部材が前記ミラーチャージカム部に当接する状態から前記ミラー駆動部材が前記ミラーチャージカム部に当接しない状態に切り換わることを特徴とする請求項１または２に記載の撮像装置。
【請求項４】
前記ミラー駆動部材が前記ミラーチャージカム部に当接するときには、前記ミラー駆動部材に形成されたカムフォロワが前記ミラーチャージカム部をトレースし、
前記ミラー駆動部材が前記ミラーチャージカム部に当接しないときには、前記カムフォロワが前記チャージ部材の回転中心と前記ミラーチャージカム部との間の領域に入り、
前記カムフォロワが前記チャージ部材の回転中心と前記ミラーチャージカム部との間の領域に入るときには、前記第１の付勢部材の付勢力によって前記ミラー駆動部材は前記ミラーをミラーアップ位置に維持されることを特徴とする請求項１から３のいずれか１項に記載の撮像装置。
【請求項５】
前記羽根部材が前記露光用開口を開放する開放位置と前記羽根部材が前記露光用開口を閉鎖する閉鎖位置との間を移動する羽根移動部材と、
前記羽根移動部材を前記閉鎖位置に係止する係止位置と前記羽根移動部材を前記閉鎖位置に係止しない非係止位置との間を移動する係止部材と、を有し、
前記羽根移動部材は、前記羽根駆動部材とは独立して前記閉鎖位置から前記開放位置へ移動し、
前記チャージ部材が前記係止部材を前記係止位置から前記非係止位置に移動させることで、前記羽根移動部材が前記閉鎖位置から前記開放位置へ移動することを特徴とする請求項１から４のいずれか１項に記載の撮像装置。
【請求項６】
前記羽根移動部材の前記開放位置から前記閉鎖位置への移動を規制する規制位置と前記羽根移動部材の前記開放位置から前記閉鎖位置への移動を規制しない非規制位置との間を移動する規制部材と、
前記係止部材に当接して前記係止部材を前記係止位置から前記非係止位置へ移動させるカム部を有するカム部材と、を有し、
前記羽根移動部材が前記閉鎖位置から前記開放位置へ移動した後、前記規制部材が前記非規制位置から前記規制位置に移動し、
前記カム部材が前記係止部材を前記非係止位置から前記係止位置とは反対方向に移動させることで、前記係止部材が前記規制部材を前記規制位置から前記非規制位置に移動させることを特徴とする請求項５に記載の撮像装置。
【手続補正２】
【補正対象書類名】明細書
【補正対象項目名】０００９
【補正方法】変更
【補正の内容】
【０００９】
本発明の一側面としての撮像装置は、ミラーと、前記ミラーをミラーアップ位置とミラーダウン位置との間で駆動するミラー駆動部材と、前記ミラー駆動部材を付勢する第１の付勢部材と、露光用開口を開閉する羽根部材と、前記羽根部材を駆動する羽根駆動部材と、前記羽根駆動部材を付勢する第２の付勢部材と、前記第１の付勢部材の付勢力に抗して前記ミラー駆動部材を駆動して前記第１の付勢部材をチャージし、前記第２の付勢部材の付勢力に抗して前記羽根駆動部材を駆動して前記第２の付勢部材をチャージするチャージ部材と、を有し、前記チャージ部材には、前記ミラー駆動部材と当接するミラーチャージカム部と、前記羽根駆動部材と当接するシャッタチャージカム部が形成されていて、前記ミラー駆動部材が前記ミラーチャージカム部に当接するときには、前記チャージ部材を第１の方向に回転させることで前記チャージ部材は前記第１の付勢部材および前記第２の付勢部材をチャージし、前記ミラー駆動部材が前記ミラーチャージカム部に当接しないときには、前記チャージ部材を前記第１の方向に回転させることで前記チャージ部材は前記第１の付勢部材をチャージすることなく、前記第２の付勢部材をチャージすることを特徴とする。
【手続補正３】
【補正対象書類名】明細書
【補正対象項目名】００１３
【補正方法】変更
【補正の内容】
【００１３】
図１は、本発明の実施形態に係る撮像装置としてのデジタル一眼レフカメラ本体（以下、カメラという）１および交換レンズ５の中央断面図である。
【手続補正４】
【補正対象書類名】明細書
【補正対象項目名】００１４
【補正方法】変更
【補正の内容】
【００１４】
交換レンズ５は、カメラ１側のマウント部１１と交換レンズ５側のマウント部５１によって、カメラ１に対して着脱可能に固定される。交換レンズ５がカメラ１に装着されると、カメラ１の接点部１２と交換レンズ５の接点部５２が電気的に接続される。これにより、カメラ１は、交換レンズ５が装着されたことを検知する。また、接点部１２および５２を介してカメラ１から交換レンズ５へ電力の供給や交換レンズ５を制御するための通信を行う。
【手続補正５】
【補正対象書類名】明細書
【補正対象項目名】００１５
【補正方法】変更
【補正の内容】
【００１５】
交換レンズ５のフォーカスレンズ５３を透過した光束は、カメラ１のメインミラー１３に入射する。メインミラー１３は、メインミラー保持枠１３１に保持され、回転軸部１３１ａによってミラーアップ位置とミラーダウン位置との間を回動可能に軸支されている。
【手続補正６】
【補正対象書類名】明細書
【補正対象項目名】００２６
【補正方法】変更
【補正の内容】
【００２６】
後幕駆動レバー（羽根駆動部材）２０５は、シャッタ地板２０１に形成された軸２０１ａを中心にして回動可能に支持されている。後幕駆動レバー２０５には円筒部２０５ａが形成されており、羽根レバー（羽根移動部材）２０６は円筒部２０５ａに回動可能に支持されている。羽根レバー２０６は、後幕羽根群２１２が開口部２０１ｅを閉鎖する閉鎖位置と後幕羽根群２１２が開口部２０１ｅを開放する開放位置との間を回動する。
【手続補正７】
【補正対象書類名】明細書
【補正対象項目名】００４１
【補正方法】変更
【補正の内容】
【００４１】
このとき、電磁石２１０とアマチャ２０９との吸着面と、係止部２０７ｂおよび被係止部２０６ｂとの係止面との間に壁部２０６ｄが設けられている。係止部２０７ｂと被係止部２０６ｂとの間で係止と係止解除を繰り返すことで、係止部２０７ｂおよび被係止部２０６ｂが摩耗し、摩耗粉が発生することが考えられる。しかし、上述した位置に壁部２０６ｄが形成されることで、発生した摩耗粉が電磁石２１０とアマチャ２０９との吸着面に付着しにくくなっている。また、電磁石２１０とアマチャ２０９との吸着面と係止部２０７ｂおよび被係止部２０６ｂの係止面が対向していないため、発生した摩耗粉が、電磁石２１０とアマチャ２０９との吸着面に付着しにくくなっている。
【手続補正８】
【補正対象書類名】明細書
【補正対象項目名】００４７
【補正方法】変更
【補正の内容】
【００４７】
図６は、カムギア２０４のカム線図とモータ２１１の制御電圧、各位相でのメカの動作を一覧で示した図である。また、ファインダ撮影モードとライブビュー撮影モードそれぞれでの制御を一覧で示し、各ポイントに対応する図面番号（図５、図７〜２９）も記載している。図６において、角度Ａ、Ｂ、Ｃ・・・Ｏ、Ｐ、Ａと進むことで、カムギア２０４が３６０度回転することを示している。また、図６において、ＦＤはファインダ、ＬＶはライブビュー、ＢＬはバウンドロックを示している。
【手続補正９】
【補正対象書類名】明細書
【補正対象項目名】００５５
【補正方法】変更
【補正の内容】
【００５５】
さらに、図８では、コロ２０５ｂは、後幕カム２０４ｂのカム面２０４ｂ１から離反し、オーバーチャージ状態が解除されている。